(57)【要約】  【課題】マイクに集音される不要音を低減するようにした電子カメラシステムを提供する。  【解決手段】電子カメラの背面には、ファインダー接眼窓１１と、ズーム操作スイッチ１２と、モニターＬＣＤハウジング１３とが設けられる。電子カメラ本体の外装は、背面側の後カバー３１と、前面側の前カバーとで構成される。モニターＬＣＤハウジング１３には、モニターＬＣＤおよびマイク１３Ｂが配設される。モニターＬＣＤハウジング１３は上記外装と別部材で形成され、ヒンジ１３Ａを回転軸として矢印の向きに回動可能に構成される。マイク１３Ｂは、モニターＬＣＤハウジング１３においてモニターＬＣＤの表示面１３Ｃ（図２）と反対側に位置する。  【選択図】図１
2005277895.tif 000002
【特許請求の範囲】
【請求項１】
操作もしくは動作に起因する音源を有する第１のカメラ部材と、
前記音源からの音を伝播しないように前記第１のカメラ部材に配設される第２のカメラ部材と、
前記第２のカメラ部材に配設され、音声記録のための音声を入力する集音マイクとを備えることを特徴とする電子カメラシステム。
【請求項２】
操作部材を含む第１のカメラ部材と、
前記第１のカメラ部材に配設され、前記第１のカメラ部材と別部材で構成される第２のカメラ部材と、
前記第２のカメラ部材に配設され、音声記録のための音声を入力する集音マイクとを備えることを特徴とする電子カメラシステム。
【請求項３】
請求項２に記載の電子カメラシステムにおいて、
前記第２のカメラ部材には、表示手段がさらに配設されることを特徴とする電子カメラシステム。
【請求項４】
請求項３に記載の電子カメラシステムにおいて、
前記第２のカメラ部材は、前記第１のカメラ部材に回動自在に支持され、
前記集音マイクは、前記第２のカメラ部材の回動状態に応じて感度指向性が変えられることを特徴とする電子カメラシステム。
【発明の詳細な説明】
【技術分野】
【０００１】
本発明は、音声記録が可能な電子カメラシステムに関する。
【背景技術】
【０００２】
音声および画像を記録するビデオカメラとスチルカメラとが一体化されたスチルカメラ付きビデオカメラが知られている（特許文献１参照）。特許文献１には、音声を採取するマイクロフォンユニットの指向性を鋭くし、当該マイクロフォンユニットの感度指向性から外れる位置にスチルカメラを配設することにより、スチルカメラの動作音がビデオカメラ側で録音されないようにする技術が開示されている。
【０００３】
【特許文献１】特開昭６３−１６０４７２号公報
【発明の開示】
【発明が解決しようとする課題】
【０００４】
特許文献１では、ビデオカメラ自身で発生する動作音および操作音について考慮されていないため、これらの音がビデオカメラの筐体を伝わってマイクロフォンユニットに到達する。したがって、筐体内でマイクロフォンユニットの感度指向性を変えたとしても、筐体を伝わる不要な音がマイクロフォンユニットで集音され録音される。
【課題を解決するための手段】
【０００５】
請求項１に記載の発明による電子カメラシステムは、操作もしくは動作に起因する音源を有する第１のカメラ部材と、音源からの音を伝播しないように第１のカメラ部材に配設される第２のカメラ部材と、第２のカメラ部材に配設され、音声記録のための音声を入力する集音マイクとを備えることを特徴とする。
請求項２に記載の発明による電子カメラシステムは、操作部材を含む第１のカメラ部材と、第１のカメラ部材に配設され、第１のカメラ部材と別部材で構成される第２のカメラ部材と、第２のカメラ部材に配設され、音声記録のための音声を入力する集音マイクとを備えることを特徴とする。
第２のカメラ部材には、表示手段が配設されてもよい。
第２のカメラ部材は第１のカメラ部材に回動自在に支持されてもよく、この場合の集音マイクは、第２のカメラ部材の回動状態に応じて感度指向性が変えられることを特徴とする。
【発明の効果】
【０００６】
本発明による電子カメラシステムでは、集音マイクで集音される操作音や動作音などの不要音を低減できる。
【発明を実施するための最良の形態】
【０００７】
以下、図面を参照して本発明を実施するための最良の形態について説明する。
（第一の実施形態）
図１は、本発明の第一の実施形態による電子カメラの背面図である。図１において、電子カメラの背面には、ファインダー接眼窓１１と、ズーム操作スイッチ１２と、モニターＬＣＤハウジング１３とが設けられている。電子カメラ本体の外装は、背面側の後カバー３１と、後述する前面側の前カバーとで構成されている。
【０００８】
モニターＬＣＤハウジング１３には、後述するモニターＬＣＤおよびマイク１３Ｂが配設される。モニターＬＣＤハウジング１３は上記外装と別部材で形成され、ヒンジ１３Ａを回転軸として矢印の向きに回動可能に構成されている。図２は、モニターＬＣＤハウジング１３を回動させた状態を示す図である。図２において、電子カメラの使用者は、電子カメラの背面側からモニターＬＣＤの表示面１３Ｃを観察することができる。モニターＬＣＤには、画像や操作メニュなどが表示される。
【０００９】
マイク１３Ｂは、モニターＬＣＤハウジング１３においてモニターＬＣＤの表示面１３Ｃと反対側に位置する。マイク１３Ｂの感度指向性は、モニターＬＣＤハウジング１３を図２のように回動させた状態で主要被写体方向に向くように構成されている。
【００１０】
図３は、図２の電子カメラを正面（前面）から見た図である。図３において、電子カメラの前面には、撮影ズームレンズ１４と、レリーズボタン１５とが設けられている。上述したように、前カバー３２と後カバー３１（図２）とで電子カメラの外装が構成される。
【００１１】
電子カメラは、ズーム操作スイッチ１２（図１、図２）が操作されると、カメラ本体内に設けられているズーム調節モータを駆動し、撮影ズームレンズ１４による光学倍率を調節する。また、電子カメラは、レリーズボタン１５（図３）が半押し操作されると、カメラ本体内に設けられているフォーカス調節モータを駆動し、撮影ズームレンズ１４によるフォーカスを調節する（オートフォーカス動作）。
【００１２】
電子カメラのレリーズボタン１５（図３）が全押し操作されると、電子カメラは撮影ズームレンズ１４によって撮像素子（不図示）上に結像された被写体像を撮像し、撮像素子から出力される撮像信号に所定の信号処理を施してカード型メモリなどの記録媒体に記録する。撮影画像は、カメラの設定内容に応じて静止画像ファイル、もしくは動画像ファイルとして記録される。
【００１３】
電子カメラはさらに、マイク１３Ｂに入力された音声を音声信号に変換し、この音声信号に所定の処理を施して記録媒体に記録する。これにより、マイク１３Ｂで集音された音声が、カメラの設定内容に応じて音声ファイルとして記録される。なお、第一の実施形態による電子カメラは、マイク１３Ｂの感度指向性を録音する音源の向きに応じて変えるべく、ヒンジ１３Ａの回動角が調節自在である。
【００１４】
以上説明した第一の実施形態によれば、以下の作用効果が得られる。
（１）電子カメラの集音マイク１３Ｂをカメラ本体の外装と別部材で形成したモニターＬＣＤハウジング１３に配設し、音声ファイルを記録するとき、図２（および図３）のように、カメラ本体の外装表面から離れた位置へ回動させるようにした。モニターＬＣＤハウジング１３には、録音時に操作する操作部材や、録音時に駆動されるモータが配設されていない。したがって、カメラ本体で録音時に発生するズーム操作スイッチ１２の操作音、フォーカス調節モータ、およびズーム調節モータの回転音などの動作音がマイク１３Ｂで集音されにくくなる。この結果、音声ファイルに記録される操作音（クリックノイズ）や動作音（機械ノイズ）などのノイズレベルを低減することができ、録音対象とするカメラ外部の音の集音効率を高めることができる。
【００１５】
図４は、録音された音声ファイルを再生した場合の再生信号における周波数特性を示す図である。図４において、横軸は再生信号の周波数を示し、縦軸は再生信号の相対レベルを示す。曲線４１は、基準信号レベルを表す曲線であり、測定環境にあらかじめ存在するベースノイズの周波数特性曲線である。曲線４２は、第一の実施形態の電子カメラ（図１の状態）でモニターＬＣＤハウジング１３に配設されたマイク１３Ｂを介して録音した音声ファイルを再生した信号の周波数特性曲線である。曲線４３は、カメラ本体内に配設したマイクを介して録音した音声ファイルを再生した信号における周波数特性曲線である。曲線４３は、比較のために図１〜図３と同形状のカメラ本体内にマイク１３Ｂと同等のマイクを配設したカメラで測定したものである。
【００１６】
カメラの操作音および動作音が分布する周波数４００Hz〜１４KHzにおいて、曲線４２（第一の実施形態のカメラ）のレベルが曲線４３（比較用カメラ）のレベルより低くなり、曲線４１（ベースノイズ）に近づいている。このように、操作部材やモータなどの音源からの音を伝播しないようにカメラ外装と別個に構成したモニターＬＣＤハウジング１３側にマイク１３Ｂを設けることで、音声ファイルに記録されるノイズレベルが明らかに低減される。
【００１７】
なお、モニターＬＣＤハウジング１３を回動させた状態（図２、図３）においても、曲線４２が示すレベルと同等以上に音声ファイルに記録されるノイズレベルを低減できる。
【００１８】
（２）マイク１３ＢをモニターＬＣＤハウジング１３に設けたので、マイク１３Ｂを配設するための専用の別部材を設けなくてもよく、コスト低減に効果が得られる。
【００１９】
モニターＬＣＤハウジング１３の回動状態を検出するセンサを設けるようにしてもよい。この場合の電子カメラは、モニターＬＣＤハウジング１３が図１のように回動されていない状態をセンサからの検出信号によって検出すると、たとえば、マイク１３Ｂの感度指向性を狭くする。図１の状態ではマイク１３Ｂが電子カメラの使用者側に向くため、主として使用者の音声を音声メモとして効率よく集音できる。
【００２０】
一方、モニターＬＣＤハウジング１３が図２および図３のように回動されている状態をセンサからの検出信号によって検出すると、電子カメラは、マイク１３Ｂの感度指向性を広くする。図２（図３）の状態ではマイク１３Ｂが電子カメラの撮影ズームレンズ１４側（主要被写体の方向）に向くため、被写体側の音声を効率よく集音できる。
【００２１】
（第二の実施形態）
図５は、本発明の第二の実施形態による電子カメラの正面図である。図５において、電子カメラの正面には、撮影ズームレンズ５１と、フラッシュ部５２とが設けられている。電子カメラ本体の外装は、正面側の前カバー５３と、背面側の後カバー（不図示）とで構成されている。
【００２２】
撮影ズームレンズ５１は、ズーム倍率調節時に電子カメラ内に設けられている不図示のズーム調節モータによって駆動される。
【００２３】
フラッシュ部５２は、上記外装と別部材で形成され、格納位置と使用位置との間で移動可能に構成されている。図５は、フラッシュ部５２が格納位置にある状態を示したものである。図６は、フラッシュ部５２が使用位置に移動した状態を示す電子カメラの正面図である。図６に示すように、フラッシュ部５２は、ポップアップ機構により支持部材５２Ｃの支点（不図示）を回動中心に上方へ回動して使用位置へ移動する。フラッシュ部５２が使用位置にある状態では、フラッシュ光窓５２Ａが主要被写体に対向するように、すなわち、フラッシュ光の照射光軸が主要被写体に向くように構成されている。フラッシュ撮影時には、主要被写体を照明する照明光がフラッシュ光窓５２Ａから射出される。
【００２４】
フラッシュ部５２には、マイク５２Ｂも配設されている。マイク５２Ｂは、フラッシュ部５２が使用位置に移動した状態で、感度指向性が主要被写体に向くように構成される。
【００２５】
第二の実施形態の電子カメラは、第一の実施形態の電子カメラと同様に、マイク５２Ｂで集音した音声を、カメラの設定内容に応じて音声ファイルとして記録する。なお、音声記録時には、フラッシュ部５２が使用位置に移動される。
【００２６】
以上説明した第二の実施形態によれば、以下の作用効果が得られる。
（１）電子カメラの集音マイク５２Ｂをカメラ本体の外装と別部材で形成したフラッシュ部５２に配設し、音声ファイルを記録するとき、フラッシュ部５２をポップアップさせてカメラ本体から離れた使用位置へ移動するようにした。フラッシュ部５２には、録音時に操作する操作部材や、録音時に駆動されるモータが配設されていない。この結果、第一実施形態と同様に、音声ファイルに記録される操作音（クリックノイズ）や動作音（機械ノイズ）などのノイズレベルを低減することができ、録音対象とするカメラ外部の音の集音効率が向上する。
【００２７】
（２）マイク５２Ｂをフラッシュ部５２に設けたので、マイク５２Ｂを配設するための専用の別部材を設けなくてもよく、コスト低減に効果が得られる。
【００２８】
上述した説明では、フラッシュ部５２がポップアップして使用位置に移動するようにしたが、必ずしもポップアップしなくてもよい。たとえば、スライド機構などによってスライドさせるものでもよい。
【００２９】
マイクを電子カメラ本体でなく、アクセサリシューに取り付けるフラッシュ装置に配設し、電子カメラシステムを構成してもよい。
【００３０】
以上説明したようにマイクの配設位置は、カメラ本体の外装と別部材であって、操作部材などが配設されていない部材にマイクを配設すればよい。上述したモニターＬＣＤハウジングやフラッシュ部の他、カメラストラップ、カメラ本体に着脱可能なアクセサリ部材、電池やメモリカード挿入部の蓋、レンズキャップなどに設けてもよい。
【００３１】
特許請求の範囲における各構成要素と、発明を実施するための最良の形態における各構成要素との対応について説明する。第１のカメラ部材は、たとえば、後カバー３１および前カバー３２（５３）によって構成される。第２のカメラ部材は、たとえば、モニタＬＣＤハウジング１３（フラッシュ部５２）によって構成される。表示手段は、たとえば、モニターＬＣＤ１３Ｃによって構成される。なお、本発明の特徴的な機能を損なわない限り、各構成要素は上記構成に限定されるものではない。
【図面の簡単な説明】
【００３２】
【図１】本発明の第一の実施形態による電子カメラの背面図である。
【図２】モニターＬＣＤハウジングを回動させた状態を示す図である。
【図３】図２の電子カメラを正面（前面）から見た図である。
【図４】音声ファイルの再生信号における周波数特性を示す図である。
【図５】本発明の第二の実施形態による電子カメラの正面図である。
【図６】フラッシュ部が使用位置に移動した状態を示す図である。
【符号の説明】
【００３３】
１２…ズーム操作スイッチ
１３…モニタＬＣＤハウジング
１３Ｂ、５２Ｂ…マイク
３１…後カバー
３２、５３…前カバー
５２…フラッシュ部
５２Ａ…フラッシュ光窓
【図１】
2005277895.tif 000003
【図２】
2005277895.tif 000004
【図３】
2005277895.tif 000005
【図４】
2005277895.tif 000006
【図５】
2005277895.tif 000007
【図６】
2005277895.tif 000008